(57)【特許請求の範囲】
【請求項１】
複数の見出し語と当該各見出し語の説明情報とを対応付けた辞書データからいずれかの見出し語に対応づけられた説明情報を取得する情報取得手段と、
ユーザ操作に応じて入力された文字列に一致する複数の見出し語の組合せの文字列に対応する前記複数の各見出し語をそれぞれ前記情報取得手段により取得して表示させる複数見出し語表示制御手段と、
前記複数の見出し語の組合せと、前記複数の各見出し語の発音データに基づいて生成されたキーワードと、を対応付けて登録する組合せ見出し語登録手段と、
を備えたことを特徴とする組合せ単語登録装置。
【請求項２】
前記組合せ見出し語登録手段は、
前記複数見出し語表示制御手段により表示された各見出し語の発音データに基づいてキーワードを生成する発音キーワード生成手段と、
前記表示された複数の見出し語の組合せに前記発音キーワード生成手段により生成されたキーワードを対応付けて登録する発音キーワード登録手段と、
を備えることを特徴とする請求項１に記載の組合せ単語登録装置。
【請求項３】
複数の見出し語と当該各見出し語の説明情報とを対応付けた辞書データからいずれかの見出し語に対応づけられた説明情報を取得する情報取得手段と、
ユーザ操作に応じて入力された文字列に一致する複数の見出し語の組合せの文字列に対応する前記複数の各見出し語をそれぞれ前記情報取得手段により取得して表示させる複数見出し語表示制御手段と、
前記複数の見出し語の組合せと、前記入力された文字列の読みのキーワードと、を対応付けて登録する組合せ見出し語登録手段と、
前記文字列が入力された場合に、当該入力された文字列を前記組合せ見出し語登録手段により登録された複数の見出し語の組合せの中から検索する第１の組合せ見出し語検索手段と、
前記キーワードが入力された場合に、当該入力されたキーワードに対応付けられて前記組合せ見出し語登録手段により登録されている複数の見出し語の組合せを検索する第２の組合せ見出し語検索手段と、
を備えたことを特徴とする組合せ単語登録装置。
【請求項４】
前記入力された文字列は中国語の文字列であり、前記キーワードは前記入力された文字列の日本語の読みのキーワードであり、
前記第１の組合せ見出し語検索手段は、前記中国語の文字列が入力された場合に、当該入力された中国語の文字列を前記組合せ見出し語登録手段により登録された複数の見出し語の組合せの中から検索し、
前記第２の組合せ見出し語検索手段は、前記日本語の読みのキーワードが入力された場合に、当該入力された日本語の読みのキーワードに対応付けられて前記組合せ見出し語登録手段により登録されている複数の見出し語の組合せを検索する、
ことを特徴とする請求項３に記載の組合せ単語登録装置。
【請求項５】
前記第１の組合せ見出し語検索手段により前記入力された文字列に対応した複数の見出し語の組合せが検索された場合に、当該複数の見出し語の組合せに対応付けられたキーワードと当該複数の見出し語のうちの各見出し語にそれぞれ対応付けられた説明情報からなる表示データを出力する検索結果出力手段を備えたことを特徴とする請求項４に記載の組合せ単語登録装置。
【請求項６】
前記複数見出し語表示制御手段は、前記入力された文字列中の複数文字と一致する見出し語があれば、当該一致する見出し語と、前記文字列中の前記複数文字を除く文字と一致する見出し語とを前記辞書データから読み出して表示させ、
前記入力された文字列中の複数文字と一致する見出し語が無ければ、前記文字列中の各文字に一致する各見出し語を前記辞書データから読み出して表示させることを特徴とする請求項１〜５のいずれか一項に記載の組合せ単語登録装置。
【請求項７】
複数の見出し語と当該各見出し語の説明情報とを対応付けた辞書データにアクセス可能な電子機器のコンピュータを制御するためのプログラムであって、
前記コンピュータを、
前記辞書データにアクセスして、いずれかの見出し語の説明情報を取得する情報取得手段、
ユーザ操作に応じて入力された文字列に一致する複数の見出し語の組合せの文字列に対応する前記複数の見出し語をそれぞれ前記情報取得手段により取得して表示させる複数見出し語表示制御手段、
前記複数の見出し語の組合せと、前記複数の各見出し語の発音データに基づいて生成されたキーワードと、を対応付けて登録する組合せ見出し語登録手段、
として機能させるためのコンピュータ読み込み可能なプログラム。
【請求項８】
複数の見出し語と当該各見出し語の説明情報とを対応付けた辞書データにアクセス可能な電子機器のコンピュータを制御するためのプログラムであって、
前記コンピュータを、
複数の見出し語と当該各見出し語の説明情報とを対応付けた辞書データからいずれかの見出し語に対応づけられた説明情報を取得する情報取得手段、
ユーザ操作に応じて入力された文字列に一致する複数の見出し語の組合せの文字列に対応する前記複数の各見出し語をそれぞれ前記情報取得手段により取得して表示させる複数見出し語表示制御手段、
前記複数の見出し語の組合せと、前記入力された文字列の読みのキーワードと、を対応付けて登録する組合せ見出し語登録手段、
前記文字列が入力された場合に、当該入力された文字列を前記組合せ見出し語登録手段により登録された複数の見出し語の組合せの中から検索する第１の組合せ見出し語検索手段、
前記キーワードが入力された場合に、当該入力されたキーワードに対応付けられて前記組合せ見出し語登録手段により登録されている複数の見出し語の組合せを検索する第２の組合せ見出し語検索手段、
として機能させるためのコンピュータ読み込み可能なプログラム。
【発明の詳細な説明】
【技術分野】
【０００１】
本発明は、辞書には搭載されていない固有名詞等の文字列を検索するのに好適な組合せ単語登録装置およびその制御プログラムに関する。
【背景技術】
【０００２】
従来の電子辞書であって、ドイツ語の複合名詞を入力すると、入力された複合名詞が当該複合名詞を構成する各名詞（構成名詞）に分離され、各構成名詞と一致する見出し語に対応した説明情報がドイツ語辞書から読み出されて並列に表示される情報表示制御装置が考えられている（例えば、特許文献１参照。）。
【先行技術文献】
【特許文献】
【０００３】
【特許文献１】特開２００４−２０６５３８号公報
【発明の概要】
【発明が解決しようとする課題】
【０００４】
従来、辞書には搭載されていない文字列であっても、前記ドイツ語等にある複合語については、当該複合語を構成する各単語の説明情報を読み出して並列に表示させることできた。
【０００５】
しかしながら、例えば中国語としての固有名詞等の文字列を適切に検索することはできなかった。
【０００６】
本発明は、このような課題に鑑みなされたもので、辞書には搭載されていない文字列の内容を適切に登録して検索できるようになる組合せ単語登録装置およびその制御プログラムを提供することを目的とする。
【課題を解決するための手段】
【０００７】
本発明の一態様の組合せ単語登録装置は、複数の見出し語と当該各見出し語の説明情報とを対応付けた辞書データからいずれかの見出し語に対応づけられた説明情報を取得する情報取得手段と、ユーザ操作に応じて入力された文字列に一致する複数の見出し語の組合せの文字列に対応する前記複数の各見出し語をそれぞれ前記情報取得手段により取得して表示させる複数見出し語表示制御手段と、前記複数の見出し語の組合せと、前記複数の各見出し語の発音データに基づいて生成されたキーワードと、を対応付けて登録する組合せ見出し語登録手段と、を備えたことを特徴としている。
【発明の効果】
【０００８】
本発明によれば、辞書には搭載されていない文字列の内容を適切に登録して検索できるようになる。
【図面の簡単な説明】
【０００９】
【図１】本発明の実施形態に係る組合せ単語登録装置１０の電子回路の構成を示すブロック図。
【図２】前記組合せ単語登録装置１０を電子辞書装置１０Ｄにより実施した場合の外観構成を示す正面図。
【図３】前記組合せ単語登録装置１０をタブレット端末１０Ｔにより実施した場合の外観構成を示す正面図。
【図４】前記組合せ単語登録装置１０の表示制御処理（その１）を示すフローチャート。
【図５】前記組合せ単語登録装置１０の表示制御処理（その２）を示すフローチャート。
【図６】前記組合せ単語登録装置１０の表示制御処理（その３）を示すフローチャート。
【図７】前記組合せ単語登録装置１０の表示制御処理に従った第１実施例の組合せ検索に伴う表示動作（その１）を示す図。
【図８】前記組合せ単語登録装置１０の表示制御処理に従った第１実施例の組合せ検索に伴う表示動作（その２）を示す図。
【図９】前記組合せ単語登録装置１０の表示制御処理に従った登録済み組合せ単語の日本語からの検索に伴う表示動作を示す図。
【図１０】前記組合せ単語登録装置１０の表示制御処理に従った第２実施例の組合せ検索に伴う表示動作を示す図。
【図１１】前記組合せ単語登録装置１０の表示制御処理に従った登録済み組合せ単語の中国語からの検索に伴う表示動作を示す図。
【発明を実施するための形態】
【００１０】
以下図面により本発明の実施の形態について説明する。
【００１１】
図１は、本発明の実施形態に係る組合せ単語登録装置１０の電子回路の構成を示すブロック図である。
【００１２】
この組合せ単語登録装置１０は、各種の記録媒体に記録されたプログラム、又は、伝送されたプログラムを読み込んで、その読み込んだプログラムによって動作が制御されるコンピュータによって構成され、その電子回路には、ＣＰＵ(central processing unit)１１が備えられる。
【００１３】
ＣＰＵ１１は、メモリ１２内に予め記憶された装置制御プログラム、あるいはＲＯＭカードなどの外部記録媒体１３から記録媒体読取部１４を介して前記メモリ１２に読み込まれた装置制御プログラム、あるいはインターネット上のＷｅｂサーバ（この場合はプログラムサーバ）からダウンロードされて前記メモリ１２に読み込まれた装置制御プログラムに応じて、回路各部の動作を制御する。
【００１４】
前記メモリ１２に記憶された装置制御プログラムは、キー入力部１５からのユーザ操作に応じた入力信号、タッチパネル式カラー表示部であるメイン画面１６やサブ画面１７からのユーザ操作に応じた入力信号、あるいは外部接続されるインターネット上のＷｅｂサーバとの通信信号、あるいは記録媒体読取部１４を介して外部接続されるＥＥＰＲＯＭ，ＲＡＭ，ＲＯＭなどのメモリ・カード（記録媒体）１３との接続通信信号に応じて起動される。
【００１５】
前記ＣＰＵ１１には、前記メモリ１２、記録媒体読取部１４、キー入力部１５、メイン画面１６、サブ画面１７などが接続される。
【００１６】
前記メモリ１２に記憶される装置制御プログラムとしては、当該装置１０の全体の動作を司るシステムプログラム、外部接続されるインターネット上の各Ｗｅｂサーバ、ユーザＰＣ(Personal Computer)などとデータ通信するための通信プログラムが記憶される。
【００１７】
また、辞書情報や各種テキストデータの表示だけでなく、検索語（検索文字列）の入力に応じて見出し語を検索する見出し語検索処理、検索された見出し語に対応した説明情報の読み出し表示処理、前記見出し語検索に伴い前記検索文字列に対応した見出し語または後述の組合せ単語が検索されない場合に、当該検索文字列を分割することで同分割された各文字（列）と一致する見出し語を検索し、検索された各見出し語を組合せた組合せ見出し語を前記組合せ単語としてキーワードに対応付けて登録する組合せ検索処理など、同メモリ１２内に記憶された辞書データベース（辞書コンテンツ１２ｂ，１２ｃ）に基づく処理全般を制御するための表示制御処理プログラム１２ａが記憶される。
【００１８】
前記辞書データベースには、［中日辞書］コンテンツ１２ｂ、［日中辞書］コンテンツ１２ｃ等の辞書データが予めあるいはダウンロードされて記憶される。
【００１９】
また、前記メモリ１２のワークエリアには、前記組合せ検索処理に従い検索された組合せ見出し語を組合せ単語として登録する組合せ単語データメモリ１２ｄが確保される。
【００２０】
この組合せ単語データメモリ１２ｄには、複数の見出し語の組合せとして検索された組合せ単語が、当該各見出し語とその説明情報にユーザが付加したマーカ位置をセットとしてキーワードに対応付けられて記憶される。
【００２１】
図２は、前記組合せ単語登録装置１０を電子辞書装置１０Ｄにより実施した場合の外観構成を示す正面図である。
【００２２】
この図２における電子辞書装置１０Ｄの場合、開閉される装置本体の下段側に前記ＣＰＵ１１、メモリ１２、記録媒体読取部１４が内蔵されると共に、前記キー入力部１５、サブ画面１７、スピーカ１８が設けられ、上段側に前記メイン画面１６が設けられる。前記キー入力部１５には、文字入力キー１５ａ、各種の辞書指定キー１５ｂ、[訳／決定]キー１５ｃ、[戻る]キー１５ｄ等が備えられる。
【００２３】
この図２における電子辞書装置１０Ｄのメイン画面１６は、前記組合せ検索処理に伴う組合せ検索画面ＧＣの表示状態を示している。前記中日辞書コンテンツ１２ｂを対象に検索語入力エリアｋａに入力された検索文字列「肯徳基（中国登録商標）」について、組合せ検索を実行すると、当該検索文字列「肯徳基」を最長一致で分割した各見出し語「肯」「徳」「基」が検索され、各対応する説明情報が各検索ウインドウｅ１，ｅ２，３に表示される。すると、前記検索された各見出し語「肯」「徳」「基」を連結した組合せ見出し語が組合せ単語「肯徳基」として表示されると共に、当該組合せ単語「肯徳基」とキーワード「ケンタッキー」とを対応付けて登録するための登録用ウインドウＷＲが表示される。
【００２４】
図３は、前記組合せ単語登録装置１０をタブレット端末１０Ｔにより実施した場合の外観構成を示す正面図である。
【００２５】
この図３におけるタブレット端末１０Ｔの場合、前記ＣＰＵ１１、メモリ１２、記録媒体読取部１４は端末本体に内蔵され、また、メイン画面１６に必要に応じて表示される各種のアイコンやソフトキーボードが前記キー入力部１５として機能する。
【００２６】
この図３におけるタブレット端末１０Ｔのメイン画面１６は、前記組合せ検索処理に従い前記検索文字列「肯徳基」が組合せ単語として登録された後の組合せ単語説明情報画面ＧＳｃの表示状態を示している。前記日中辞書コンテンツ１２ｃを対象に検索語入力エリアｋａに入力された検索文字列「けんたっきー」について、前記登録された組合せ単語「肯徳基」が検索されて組合せ単語ウインドウＷＣに表示されると共に、当該組合せ単語「肯徳基」の分割された各見出し語「肯」「徳」「基」に対応する説明情報ウインドウＳＷ１，ＳＷ２，ＳＷ３が表示される。
【００２７】
このように構成された組合せ単語登録装置１０は、前記ＣＰＵ１１が前記表示制御処理プログラム２２ａ（見出し語検索処理、説明情報表示処理、組合せ単語検索処理等を実行するためのプログラムを含む）に記述された命令に従い回路各部の動作を制御し、ソフトウエアとハードウエアとが協働して動作することにより、以下の動作説明で述べる機能を実現する。
【００２８】
次に、前記構成による組合せ単語登録装置１０の動作について説明する。
【００２９】
図４は、前記組合せ単語登録装置１０の表示制御処理（その１）を示すフローチャートである。
【００３０】
図５は、前記組合せ単語登録装置１０の表示制御処理（その２）を示すフローチャートである。
【００３１】
図６は、前記組合せ単語登録装置１０の表示制御処理（その３）を示すフローチャートである。
【００３２】
図７は、前記組合せ単語登録装置１０の表示制御処理に従った第１実施例の組合せ検索に伴う表示動作（その１）を示す図である。
【００３３】
図８は、前記組合せ単語登録装置１０の表示制御処理に従った第１実施例の組合せ検索に伴う表示動作（その２）を示す図である。
【００３４】
（第１実施例）
中国語としての固有名詞「肯徳基」を検索する動作について説明する。
【００３５】
この固有名詞「肯徳基」は、ファストフード店「ケンタッキーフライドチキン（登録商標）」の「ケンタッキー」の中国語名であるが、中国語系辞書には集録されていない。
【００３６】
辞書指定キー１５ｂのユーザ操作に応じて中日辞書コンテンツ１２ｂが指定されたと判断されると、図７（Ａ）に示すように、中日辞書の見出し語検索画面Ｇがメイン画面１６に表示される（ステップＳ１（Ｙｅｓ））。
【００３７】
この見出し語検索画面Ｇの検索語入力エリアｋａにおいて、ユーザ操作に応じて検索文字列「肯徳基」が入力されると（ステップＳ２）、入力された検索文字列「肯徳基」に先頭一致する見出し語のデータが前記中日辞書コンテンツ１２ｂから検索されると共に、同検索文字列「肯徳基」に該当する組合せ単語のデータが組合せ単語データメモリ１２ｄから検索される（ステップＳ３）。
【００３８】
ここで、前記検索文字列「肯徳基」に該当する見出し語や組合せ単語が検索されず、該当なしと判断されると（ステップＳ４（Ｎｏ））、前記見出し語検索画面Ｇ上に、当該検索文字列である固有名詞「肯徳基」を登録するための組合せ検索を行うか否かをユーザに選択させる組合せ検索選択メッセージＭ１が表示される（ステップＳ５）。
【００３９】
この組合せ検索選択メッセージＭ１において、［訳／決定］キー１５ｃのユーザ操作に応じて前記組合せ検索を行うことが選択されたと判断されると（ステップＳ５（Ｙｅｓ））、前記検索文字列「肯徳基」のうちの複数文字「肯徳」や「徳基」の見出し語を検索する。この場合、該当する見出し語が無いため、検索文字列「肯徳基」の各文字（「肯」「徳」「基」）毎に、見出し語検索し、当該見出し語として存在した各見出し語（検索見出し語：「肯」「徳」「基」）毎に、図７（Ｂ）に示すように、組合せ検索画面ＧＣ上の検索ウインドウｅ１，ｅ２，ｅ３が表示される（ステップＳ６）。
【００４０】
ここで、「肯」検索ウインドウｅ１がペンタッチＰされて識別表示ｈされ、何れかの検索見出し語が指定されたと判断されると（ステップＳ７（Ｙｅｓ））、当該指定の検索見出し語「肯」について見出し語検索され、図７（Ｃ）に示すように、検索された見出し語が見出し語一覧エリアｍｅに表示される（ここでは見出し語「肯」だけ検索されている）（ステップＳ８）。
【００４１】
この見出し語一覧エリアｍｅにおいて、所望の見出し語「肯」がペンタッチＰされて選択されると、選択された見出し語「肯」が識別表示ｈされ、その説明情報がプレビューウインドウｗに表示される（ステップＳ９）。そして、［訳／決定］キー１５ｃが操作されると、図７（Ｄ）に示すように、前記検索見出し語「肯」の説明情報は、説明情報画面ＧＳとして全画面に展開されて表示される。
【００４２】
前記検索見出し語「肯」の説明情報画面ＧＳにおいて、当該見出し語「肯」に対応するユーザなりの中心的語義（ユーザが相応しいと感じる語義）を設定するために、アイコン表示エリア１６ａに表示されている［マーカ］アイコンｍｃがペンタッチＰされてマーカ機能が選択され（ステップＳ１０（Ｙｅｓ））、図８（Ａ）に矢印ｘで示すように、前記説明情報内の文字列がペンタッチＰされてなぞられると、なぞられた範囲の文字列「骨についている肉」にマーカｍ１が付加される（ステップＳ１１）。
【００４３】
すると、前記ステップＳ６にて検索ウインドウｅ１，ｅ２，ｅ３に分割表示された各検索見出し語「肯」「徳」「基」の全てについて指定されたか否かが判断され（ステップＳ１２）、指定されていないと判断された場合には（ステップＳ１２（Ｎｏ））、図８（Ｂ）に示すように、［戻る］キー１５ｄの操作に応じて、前記各検索見出し語「肯」「徳」「基」に対応した検索ウインドウｅ１，ｅ２，ｅ３の表示に戻る。この際、前記見出し語検索された見出し語「肯」の説明情報は、前記マーカｍ１の付加された中心的語義「骨についている肉」が、例えば上段の優先位置に配置されて表示される。
【００４４】
この後、前記同様に、前記分割表示された各検索見出し語「徳」「基」が順次指定され、各対応する説明情報が検索されて表示されると共に、そのそれぞれのユーザなりの中心的語義にマーカｍ２，ｍ３が付加されると、図８（Ｃ）に示すように、各対応する検索ウインドウｅ２，ｅ３に、前記マーカｍ２，ｍ３が付加された中心的語義を優先位置に配置した説明情報が表示される（ステップＳ７〜Ｓ１２）。
【００４５】
そして、前記検索ウインドウｅ１，ｅ２，ｅ３に分割表示された各検索見出し語「肯」「徳」「基」の全てについて指定され、各対応する説明情報（語義）が検索されて表示されたと判断された状態で（ステップＳ１２（Ｙｅｓ））、［登録］アイコンｒｃがペンタッチＰされて登録機能が選択されると、前記各検索見出し語「肯」「徳」「基」を連結した組合せ見出し語が、図８（Ｄ）に示すように、登録用ウインドウＷＲに組合せ単語「肯徳基」として表示される（ステップＳ１３）。
【００４６】
またこれに伴い、前記登録用ウインドウＷＲには、前記各検索見出し語のピンイン（「肯;ken」「徳;de」「基;ji」）を順に組合せてカタカナ読みにした表記がキーワード候補「ケンデェジィー」（図示せず）として表示される（ステップＳ１４）。
【００４７】
ここで、図８（Ｄ）に示すように、前記登録用ウインドウＷＲのキーワードの項目において、ユーザ操作に応じてキーワード「ケンタッキー」を入力して表示させる（ステップＳ１９，Ｓ２０）。
【００４８】
そして、前記登録用ウインドウＷＲ内の［登録］ボタンがペンタッチＰされると（ステップＳ１５（Ｙｅｓ））、前記キーワード「ケンタッキー」に対応付けられて前記各見出し語「肯」「徳」「基」とその各説明情報のマーカ部分を示す位置情報とが前記組合せ単語データメモリ１２ｄに登録される（ステップＳ１６）。
【００４９】
これにより、前記中国語としての固有名詞「肯徳基」を、各見出し語「肯」「徳」「基」に分割して各説明情報を対応付けてなる組合せ単語「肯徳基」として、所望のキーワード「ケンタッキー」に対応付けて登録できる。
【００５０】
図９は、前記組合せ単語登録装置１０の表示制御処理に従った登録済み組合せ単語の日本語からの検索に伴う表示動作を示す図である。
【００５１】
辞書指定キー１５ｂのユーザ操作に応じて日中辞書コンテンツ１２ｃが指定されたと判断されると、図９（Ａ）に示すように、日中辞書の見出し語検索画面Ｇがメイン画面１６に表示される（ステップＳ２６（Ｙｅｓ））。
【００５２】
この見出し語検索画面Ｇの検索語入力エリアｋａにおいて、ユーザ操作に応じて検索文字列「けんたっきー」が入力されると（ステップＳ２７）、入力された検索文字列「けんたっきー」に先頭一致する見出し語のデータが前記日中辞書コンテンツ１２ｃから検索されると共に、同検索文字列「けんたっきー」に該当する組合せ単語のキーワードのデータが組合せ単語データメモリ１２ｄから検索され、見出し語一覧エリアｍｅに表示される（ステップＳ２８）。
【００５３】
ここで、前記検索文字列「けんたっきー」に該当する見出し語「ケンタッキー〜」や組合せ単語のキーワード「ケンタッキー」が検索されたと判断され（ステップＳ２９（Ｙｅｓ））、前記見出し語一覧エリアｍｅに表示された当該組合せ単語のキーワード「ケンタッキー」が選択されて識別表示ｈされると（ステップＳ３０（Ｙｅｓ））、選択されたキーワード「ケンタッキー」に対応付けられて登録されている各見出し語「肯」「徳」「基」を組合せた組合せ単語「肯徳基」とそのキーワード「ケンタッキー」が組合せ単語ウインドウＷＣに表示される。またこれと共に、当該各見出し語「肯」「徳」「基」の説明情報が説明情報ウインドウＳＷ１，ＳＷ２，ＳＷ３に表示される（ステップＳ３１）。
【００５４】
この際、前記各見出し語「肯」「徳」「基」の説明情報は、前記キーワード「ケンタッキー」に対応付けられて登録されているマーカ部分の位置情報に従い、そのマーカｍ１，ｍ２，ｍ３が付加された部分を先頭にして表示される。
【００５５】
そして、前記図９（Ａ）で示した見出し語検索画面Ｇにおける前記組合せ単語「肯徳基」のウインドウＷＣ、前記各見出し語に対応した説明情報ウインドウＳＷ１，ＳＷ２，ＳＷ３のプレビュー状態において、［訳／決定］キー１５ｃが操作されると、当該組合せ単語ウインドウＷＣおよび各説明情報ウインドウＳＷ１，ＳＷ２，ＳＷ３が、図９（Ｂ）に示すように、組合せ単語説明情報画面ＧＳｃとしてメイン画面１６の全画面に展開されて表示される。
【００５６】
これにより、中国語として辞書にない文字列をこれに相応しい説明情報の組合せ単語「肯徳基」として登録し、日本語のキーワード「ケンタッキー」から簡単に検索できるようになる。
【００５７】
さらに、前記図９（Ｂ）で示した組合せ単語説明情報画面ＧＳｃにおいて、何れかの見出し語の説明情報ウインドウＳＷｎがペンタッチＰされて指定されると、図９（Ｃ）に示すように、指定された見出し語の説明情報が全画面に展開されて表示される。
【００５８】
なお、前記組合せ単語説明情報画面ＧＳｃが表示されている状態で、［音声］キーが操作されると、前記組合せ単語「肯徳基」の各見出し語「肯」「徳」「基」それぞれの音声が順に連続してスピーカ１８から再生されるので、当該組合せ単語（固有名詞）「肯徳基」の中国語読みをユーザが聞いて確認できる。
【００５９】
一方、前記図９（Ａ）で示した見出し語一覧エリアｍｅにおいて（ステップＳ２６〜Ｓ２９）、前記検索文字列「けんたっきー」に該当する日中辞書コンテンツ１２ｃから検索された各見出し語「ケンタッキー〜」「けんだま」…の何れかが選択されて識別表示ｈされると（ステップＳ３０（Ｎｏ）→Ｓ３２（Ｙｅｓ））、当該選択された見出し語の説明情報が読み出されて表示される（ステップＳ３３）。
したがって、前記構成の組合せ単語登録機能によれば、見出し語検索画面Ｇにおいて中国語系辞書にない検索文字列「肯徳基」が入力されると、文字列中の複数文字「肯徳」や「徳基」の見出し語が無いので、各文字毎の見出し語「肯」「徳」「基」が中国語系辞書から検索される。そして、前記検索された各見出し語と、その各説明情報にてマーカｍｎが付加された中心的語義とが、ユーザ操作により入力されたキーワード「ケンタッキー」と対応付けた組合せ単語「肯徳基」として登録される。
これにより、前記見出し語検索画面Ｇから前記日本語のキーワード「ケンタッキー」か又は前記検索文字列「肯徳基」から簡単に中国語としての組合せ単語「肯徳基」を検索できるようになる。
【００６０】
また、前記構成の組合せ単語登録機能によれば、前記キーワード又は検索文字列から検索された組合せ単語「肯徳基」の説明情報画面ＧＳｃには、当該組合せ単語「肯徳基」とそのキーワード「ケンタッキー」が組合せ単語ウインドウＷＣに表示され、また各見出し語「肯」「徳」「基」それぞれの説明情報が説明情報ウインドウＳＷ１，ＳＷ２，ＳＷ３に表示される。
【００６１】
これにより、辞書にはない組合せ単語「肯徳基」であっても、その登録した内容を簡単に検索できるようになる。
【００６２】
（第２実施例）
図１０は、前記組合せ単語登録装置１０の表示制御処理に従った第２実施例の組合せ検索に伴う表示動作を示す図である。
【００６３】
中国語としての固有名詞「●西欧（中国登録商標）（●はJIS補2027、峠から山偏を除いた字）」を検索する動作について説明する。
【００６４】
この固有名詞「●西欧」は、本出願人「カシオ計算機株式会社（登録商標）」の「カシオ」の中国語名であるが、中国語系辞書には集録されていない。
【００６５】
前記ステップＳ１〜Ｓ１２で説明した組合せ検索と同様の処理に従い、図１０（Ａ）に示すように、組合せ検索画面ＧＣの検索語入力エリアｋａに入力された検索文字列「●西欧」について、当該検索文字列中の複数文字「●西」「西欧」を検索する。すると「西欧」の見出し語が見つかったので、残りの「●」について見出し語検索して「●」の見出し語が見つかる。そして検索されて見つかった各見出し語「●」「西欧」毎に各検索ウインドウｅ１，ｅ２が表示される。そして、各検索見出し語「●」「西欧」が順次指定され、各対応する説明情報が検索されて表示され、その先頭の検索見出し語「●」の説明情報のうちユーザなりの中心的語義「カード」にマーカｍ１が付加される。すると、前記検索見出し語「●」の検索ウインドウｅ１に、前記マーカｍ１が付加された中心的語義「カード」を優先位置に配置した説明情報が表示される。
【００６６】
なおここでは、前記各検索見出し語「●」「西欧」のうち、後方の見出し語「西欧」については、元の説明情報のままマーカｍｎは付加されない。
【００６７】
そして、前記検索ウインドウｅ１，ｅ２に分割表示された各検索見出し語「●」「西欧」に対応する説明情報（語義）が表示されたと判断された状態で（ステップＳ１２（Ｙｅｓ））、図１０（Ｂ）に示すように、［登録］アイコンｒｃがペンタッチＰされて登録機能が選択されると、前記各検索見出し語「●」「西欧」を連結した組合せ見出し語が、図１０（Ｃ）に示すように、登録用ウインドウＷＲに組合せ単語「●西欧」として表示される（ステップＳ１３）。
【００６８】
すると、前記登録用ウインドウＷＲには、前記各検索見出し語のピンイン（「●;ka」「西欧;Xi’ou」）を順に組合せて（「ka Xi’ou」）さらにカタカナ表記したデータ（「カシオ」）がＣＰＵにより自動作成され、キーワード候補「カシオ」として表示される（ステップＳ１４）。
【００６９】
なおここで、前記キーワード候補の文字列がペンタッチＰされた場合は、当該候補とは別の候補がユーザに要求されたと判断され（ステップＳ１７（Ｙｅｓ））、前記各検索見出し語のピンイン（「●;ka」「西欧;Xi’ou」）を順に組合せて別のカタカナ読みにした表記が新たなキーワード候補として表示される（ステップＳ１８）。
【００７０】
そして、前記登録用ウインドウＷＲ内の［登録］ボタンがペンタッチＰされると（ステップＳ１５（Ｙｅｓ））、前記キーワード候補「カシオ」に対応付けられて前記各見出し語「●」「西欧」とその各説明情報のマーカ部分を示す位置情報とが前記組合せ単語データメモリ１２ｄに登録される（ステップＳ１６）。
【００７１】
したがって、前記構成の組合せ単語登録機能によれば、見出し語検索画面Ｇにおいて中国語系辞書にない検索文字列「●西欧」が入力されると、当該検索文字列が前記辞書に存在する複数の見出し語「●」「西欧」に分割されて検索される。そして、前記検索された各見出し語と、その各説明情報にてマーカｍｎが付加された中心的語義とが、当該各見出し語のピンイン（発音）に基づいてＣＰＵにより自動作成されたキーワード「カシオ」と対応付けた組合せ単語「●西欧」として登録される。
これにより、前記中国語としての固有名詞「●西欧」を、各見出し語「●」「西欧」に分割して各説明情報を対応付けてなる組合せ単語「●西欧」として、その発音（ピンイン）に基づいてＣＰＵにより自動作成されたキーワード「カシオ」に対応付けて登録できる。
【００７２】
図１１は、前記組合せ単語登録装置１０の表示制御処理に従った登録済み組合せ単語の中国語からの検索に伴う表示動作を示す図である。
【００７３】
中国語としての固有名詞「可口可楽（中国登録商標）」（「楽」は中国語漢字（簡体字）が出願用の文字データとして入力できないための繁体字であり図示が正しい）を検索する動作について説明する。
【００７４】
この固有名詞「可口可楽」は、飲料会社「コカコーラ（登録商標）」の中国語名であるが、中国語系辞書には集録されてなく、前記ステップＳ１〜Ｓ２０による組合せ検索に従いキーワード「コカコーラ」、組合せ見出し語「可口」「可楽」からなる組合せ単語「可口可楽」として登録された後の動作について説明する。
【００７５】
図１１（Ａ）に示すように、前記中日辞書コンテンツ１２ｂが指定された見出し語検索画面Ｇおいて、前記サブ画面１７に対するユーザの手書き操作に応じて検索文字列「可口可楽」が入力されて文字認識され検索語入力エリアｋａに表示される（ステップＳ１，Ｓ２）。
【００７６】
すると、前記入力された検索文字列「可口可楽」に先頭一致する見出し語のデータが前記中日辞書コンテンツ１２ｂから検索されると共に、同検索文字列「可口可楽」に該当する組合せ単語のデータが組合せ単語データメモリ１２ｄから検索され、見出し語一覧エリアｍｅに表示される（ステップＳ３）。
【００７７】
ここで、前記組合せ単語データメモリ１２ｄから前記検索文字列に該当する組合せ単語「可口可楽」のデータが検索されたと判断され（ステップＳ４（Ｙｅｓ））、前記見出し語一覧エリアｍｅに表示された当該組合せ単語「可口可楽」（図示ではピンイン表記「kekou’k…」が先頭）が選択されて識別表示ｈされると（ステップＳ２１（Ｙｅｓ））、選択された組合せ単語「可口可楽」とユーザ登録されたキーワード「コカコーラ」が組合せ単語ウインドウＷＣに表示される。またこれと共に、当該各見出し語「可口」「可楽」の説明情報「可口；口に合う」「可楽；楽しい」が説明情報ウインドウＳＷ１，ＳＷ２に表示される（ステップＳ２２）。
【００７８】
そして、前記図１１（Ａ）で示した見出し語検索画面Ｇにおける前記組合せ単語「可口可楽」のウインドウＷＣおよび前記各見出し語に対応した説明情報ウインドウＳＷ１，ＳＷ２のプレビュー状態において、［訳／決定］キー１５ｃが操作されると、当該組合せ単語ウインドウＷＣおよび各説明情報ウインドウＳＷ１，ＳＷ２が、図１１（Ｂ）に示すように、組合せ単語説明情報画面ＧＳｃとしてメイン画面１６の全画面に展開されて表示される。
【００７９】
これにより、中国語として辞書にない文字列をこれに相応しい説明情報の組合せ単語「可口可楽」として登録し、当該中国語から簡単に検索できるようになる。
【００８０】
一方、前記図１１（Ａ）で示した見出し語一覧エリアｍｅにおいて（ステップＳ１〜Ｓ４）、前記検索文字列に該当する中日辞書コンテンツ１２ｂから検索された各見出し語の何れかが選択されて識別表示ｈされた場合は（ステップＳ２１（Ｎｏ）→Ｓ２３（Ｙｅｓ））、当該選択された見出し語の説明情報が読み出されて表示される（ステップＳ２４）。
【００８１】
したがって、前記構成の組合せ単語登録機能によれば、見出し語検索画面Ｇにおいて中国語系辞書にない検索文字列「可口可楽」が入力されると、当該検索文字列が前記辞書に存在する複数の見出し語「可口」「可楽」に分割されて検索される。そして、前記検索された各見出し語と、その各説明情報にてマーカｍｎが付加された中心的語義とが、ユーザ入力されたキーワード「コカコーラ」と対応付けた組合せ単語「可口可楽」として登録される。
【００８２】
これにより、前記見出し語検索画面Ｇから前記日本語のキーワード「コカコーラ」か又は前記検索文字列「可口可楽」から簡単に中国語としての組合せ単語「可口可楽」を検索できるようになる。
【００８３】
なお、前記実施形態では、辞書検索したい検索文字列を、見出し語検索画面Ｇの検索語入力エリアｋａに入力することで、その検索処理が実行されるものとして説明したが、表示画面に表示されている各種のテキストに含まれる任意の文字列を指定し、この指定された文字列を検索文字列として検索処理（ジャンプ検索）を実行する構成としてもよい。
【００８４】
前記実施形態において記載した組合せ単語登録装置１０による各処理の手法およびデータベース、すなわち、図４〜図６のフローチャートに示す表示制御処理（その１〜その３）等の各手法、および辞書データベース（１２ｂ，１２ｃ）は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体１３に格納して配布することができる。そして、表示画面（１６）を備えた電子機器のコンピュータは、この外部記録媒体１３に記憶されたプログラムをメモリ１２に読み込み、この読み込んだプログラムによって動作が制御されることにより、前記実施形態において説明した組合せ単語登録機能を実現し、前述した手法による同様の処理を実行することができる。
【００８５】
また、前記各手法を実現するためのプログラムのデータは、プログラムコードの形態として通信ネットワーク上を伝送させることができ、このプログラムデータを、通信ネットワークに接続された表示画面（１６）を備える電子機器のコンピュータに通信によって取り込むことで、前述した組合せ単語登録機能を実現することもできる。
【００８６】
また、前記実施形態では、前記組合せ単語登録装置１０を、電子辞書専用の携帯機器（電子辞書装置１０Ｄ）、辞書機能を備えたタブレット端末２０Ｔ、携帯電話、電子ブック、携帯ゲーム機等の電子機器単体にて実現する場合として説明した。
【００８７】
これに対し、通信ネットワーク上のＷｅｂサーバ（辞書サーバ）に、前述した辞書データベース（１２ｂ，１２ｃ）と表示制御処理プログラム１２ａに基づく組合せ単語登録機能を持たせ、当該Ｗｅｂサーバ（辞書サーバ）にタッチパネル式表示画面（１６）を備えた端末装置からアクセスし、所望の検索文字列を送信することで、前記同様に当該検索文字列を組合せ検索して組合せ単語として登録したり、登録された組合せ単語を受信して表示させる構成としてもよい。
【００８８】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組合せにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８９】
以下に、本願出願の当初の特許請求の範囲に記載された発明を付記する。
【００９０】
［１］
複数の見出し語と当該各見出し語の説明情報とを対応付けた辞書データからいずれかの見出し語に対応づけられた説明情報を取得する情報取得手段と、
ユーザ操作に応じて入力された文字列に一致する複数の見出し語の組合せの文字列に対応する前記複数の各見出し語をそれぞれ前記情報取得手段により取得して表示させる複数見出し語表示制御手段と、
前記複数の見出し語の組合せと、前記入力された文字列に対応するキーワードと、を対応付けて登録する組合せ見出し語登録手段と、
を備えたことを特徴とする組合せ単語登録装置。
【００９１】
［２］
前記複数見出し語表示制御手段は、前記入力された文字列中の複数文字と一致する見出し語があれば、当該一致する見出し語と、前記文字列中の前記複数文字を除く文字と一致する見出し語とを前記辞書データから読み出して表示させ、
前記入力された文字列中の複数文字と一致する見出し語が無ければ、前記文字列中の各文字に一致する各見出し語を前記辞書データから読み出して表示させることを特徴とする［１］に記載の組合せ単語登録装置。
【００９２】
［３］
前記組合せ見出し語登録手段は、
前記複数見出し語表示制御手段により表示された各見出し語の発音データに基づいてキーワードを生成する発音キーワード生成手段と、
前記表示された複数の見出し語の組合せに前記発音キーワード生成手段により生成されたキーワードを対応付けて登録する発音キーワード登録手段と、
を備えることを特徴とする［１］又は［２］に記載の組合せ単語登録装置。
【００９３】
［４］
前記入力された文字列は中国語の文字列であり、前記キーワードは前記入力された文字列の日本語の読みのキーワードであり、
前記中国語の文字列が入力された場合に、当該入力された中国語の文字列を前記組合せ見出し語登録手段により登録された複数の見出し語の組合せの中から検索する第１の組合せ見出し語検索手段と、
前記キーワードが入力された場合に、当該入力されたキーワードに対応付けられて前記組合せ見出し語登録手段により登録されている複数の見出し語の組合せを検索する第２の組合せ見出し語検索手段と、
を備えたことを特徴とする［１］〜［３］のいずれかに記載の組合せ単語登録装置。
【００９４】
［５］
前記第１の組合せ見出し語検索手段により前記入力された文字列に対応した複数の見出し語の組合せが検索された場合に、当該複数の見出し語の組合せに対応付けられたキーワードと当該複数の見出し語のうちの各見出し語にそれぞれ対応付けられた説明情報からなる表示データを出力する検索結果出力手段を備えたことを特徴とする［４］に記載の組合せ単語登録装置。
【００９５】
［６］
複数の見出し語と当該各見出し語の説明情報とを対応付けた辞書データにアクセス可能な電子機器のコンピュータを制御するためのプログラムであって、
前記コンピュータを、
前記辞書データにアクセスして、いずれかの見出し語の説明情報を取得する情報取得手段と、
ユーザ操作に応じて入力された文字列に一致する複数の見出し語の組合せの文字列に対応する前記複数の見出し語をそれぞれ前記情報取得手段により取得して表示させる複数見出し語表示制御手段、
前記複数の見出し語の組合せと、前記入力された文字列に対応するキーワードと、を対応付けて登録する組合せ見出し語登録手段、
として機能させるためのコンピュータ読み込み可能なプログラム。
【符号の説明】
【００９６】
１０  …組合せ単語登録装置
１０Ｄ…電子辞書装置
１０Ｔ…タブレット端末
１１  …ＣＰＵ
１２  …メモリ
１２ａ…表示制御処理プログラム
１２ｂ…中日辞書コンテンツ
１２ｃ…日中辞書コンテンツ
１２ｄ…組合せ単語データメモリ
１３  …外部記録媒体
１４  …記録媒体読取部
１５  …キー入力部
１６  …メイン画面（タッチパネル式）
Ｇ    …見出し語検索画面
ＧＣ  …組合せ検索画面
ｅ１，ｅ２，…検索ウインドウ
ＷＲ  …登録用ウインドウ
ＧＳｃ…組合せ単語説明情報画面
ＷＣ  …組合せ単語ウインドウ
ＳＷ１，ＳＷ２，…説明情報ウインドウ
【図１】
0006417754.tif 000002
【図２】
0006417754.tif 000003
【図３】
0006417754.tif 000004
【図４】
0006417754.tif 000005
【図５】
0006417754.tif 000006
【図６】
0006417754.tif 000007
【図７】
0006417754.tif 000008
【図８】
0006417754.tif 000009
【図９】
0006417754.tif 000010
【図１０】
0006417754.tif 000011
【図１１】
0006417754.tif 000012